【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  所定の属性を保持するファイルをフォルダ構造で格納する情報処理装置であって、
前記ファイルが格納されているフォルダを指定する指定手段と、
前記指定手段で指定されたフォルダに格納されている前記ファイルから印刷属性を取得する取得手段と、
前記取得手段により取得される印刷属性に基づいて、該印刷属性がイメージとして反映されたイメージであって前記ファイルを識別可能に表示するアイコンを作成する作成手段と、
前記作成手段により作成されたアイコンを表示装置に表示する表示制御手段と、
を有することを特徴とする情報処理装置。
【請求項２】  前記取得手段は、前記ファイルからイメージ属性を取得し、前記作成手段は、前記取得手段により取得されるイメージ属性に基づいて、該ファイルの第一ページの内容を示す縮小イメージを作成することを特徴とする請求項１記載の情報処理装置。
【請求項３】  前記表示制御手段は、前記所定の属性をリスト表示可能であり、
前記表示制御手段が前記所定の属性をリスト表示するかアイコン表示するかを切り替える切り替え手段を更に備えることを特徴とする請求項１または２記載の情報処理装置。
【請求項４】  前記ファイルは、イメージおよび／またはテキストを含む文書ファイルであることを特徴とする請求項１乃至３のいずれかに記載の情報処理装置。
【請求項５】  前記印刷属性は、Ｚ折り属性，製本属性，両面属性，インサータ紙属性，タブ紙属性，バリアブル属性，パンチ属性，ステイプル属性の少なくともいずれかを含むことを特徴とする請求項１乃至４のいずれかに記載の情報処理装置。
【請求項６】  前記ファイルは、アプリケーションにより生成されることを特徴とする請求項１乃至５のいずれかに記載の情報処理装置。
【請求項７】  前記ファイルは、所定の画像処理装置に装着される可搬性の記録媒体から読み出されることを特徴とする請求項１乃至６のいずれかに記載の情報処理装置。
【請求項８】  前記作成手段は、前記取得手段により取得される印刷属性に基づいて、印刷属性を指標する印刷属性イメ―ジを更に作成することを特徴とする請求項１乃至７のいずれかに記載の情報処理装置。
【請求項９】  前記表示制御手段は、前記作成手段により作成された印刷属性イメージを前記縮小イメージの近傍に表示することを特徴とする請求項８記載の情報処理装置。
【請求項１０】  所定の属性を保持するファイルをフォルダ構造で格納する情報処理装置におけるファイル処理方法であって、
前記ファイルが格納されているフォルダを指定する指定ステップと、
前記指定ステップで指定されたフォルダに格納されている前記ファイルから印刷属性を取得する取得ステップと、
前記取得ステップにより取得される印刷属性に基づいて、該印刷属性がイメージとして反映されたイメージであって前記ファイルを識別可能に表示するアイコンを作成する作成ステップと、
前記作成ステップにより作成されたアイコンを表示装置に表示する表示制御ステップと、
を有することを特徴とするファイル処理方法。
【請求項１１】  前記取得ステップは、前記ファイルからイメージ属性を取得し、
前記作成ステップは、前記取得ステップにより取得されるイメージ属性に基づいて、該ファイルの第一ページの内容を示す縮小イメージを作成することを特徴とする請求項１０記載のファイル処理方法。
【請求項１２】  前記表示制御ステップは、前記所定の属性をリスト表示可能であり、
前記表示制御ステップが前記所定の属性をリスト表示するかアイコン表示するかを切り替える切り替えステップを更に備えることを特徴とする請求項１０または１１記載のファイル処理方法。
【請求項１３】  前記ファイルは、イメージおよび／またはテキストを含む文書ファイルであることを特徴とする請求項１０乃至１２のいずれかに記載のファイル処理方法。
【請求項１４】  前記印刷属性は、Ｚ折り属性，製本属性，両面属性，インサータ紙属性，タブ紙属性，バリアブル属性，パンチ属性，ステイプル属性の少なくともいずれかを含むことを特徴とする請求項１０乃至１３のいずれかに記載のファイル処理方法。
【請求項１５】  前記ファイルは、アプリケーションにより生成されることを特徴とする請求項１０乃至１４のいずれかに記載のファイル処理方法。
【請求項１６】  前記ファイルは、所定の画像処理装置に装着される可搬性の記録媒体から読み出されることを特徴とする請求項１０乃至１５のいずれかに記載のファイル処理方法。
【請求項１７】  前記作成ステップは、前記取得ステップにより取得される印刷属性に基づいて、印刷属性を指標する印刷属性イメ―ジを更に作成することを特徴とする請求項１０乃至１６のいずれかに記載のファイル処理方法。
【請求項１８】  前記表示制御ステップは、前記作成ステップにより作成された印刷属性イメージを前記縮小イメージの近傍に表示することを特徴とする請求項１７記載のファイル処理方法。
【請求項１９】  請求項１０〜１８のいずれかに記載のファイル処理方法を実現するプログラムを記憶したことを特徴とするコンピュータが読み取り可能な記憶媒体。
【請求項２０】  請求項１０〜１８のいずれかに記載のファイル処理方法を実現することを特徴とするプログラム。
【手続補正２】
【補正対象書類名】明細書
【補正対象項目名】００１４
【補正方法】変更
【補正の内容】
【００１４】
本発明に係る第３の発明は、前記表示制御手段は、前記所定の属性をリスト表示可能であり、前記表示制御手段が前記所定の属性をリスト表示するかアイコン表示するかを切り替える切り替え手段（例えば図１に示す中央処理装置２０３に相当）を更に備えることを特徴とする。
【手続補正３】
【補正対象書類名】明細書
【補正対象項目名】００１５
【補正方法】変更
【補正の内容】
【００１５】
本発明に係る第４の発明は、前記ファイルは、イメージおよび／またはテキストを含む文書ファイルであることを特徴とする。
【手続補正４】
【補正対象書類名】明細書
【補正対象項目名】００１６
【補正方法】変更
【補正の内容】
【００１６】
本発明に係る第５の発明は、前記印刷属性は、Ｚ折り属性，製本属性，両面属性，インサータ紙属性，タブ紙属性，バリアブル属性，パンチ属性，ステイプル属性の少なくともいずれかを含むことを特徴とする。
【手続補正５】
【補正対象書類名】明細書
【補正対象項目名】００２３
【補正方法】変更
【補正の内容】
【００２３】
本発明に係る第１２の発明は、前記表示制御ステップは、前記所定の属性をリスト表示可能であり、前記表示制御ステップが前記所定の属性をリスト表示するかアイコン表示するかを切り替える切り替えステップを更に備えることを特徴とする。
【手続補正６】
【補正対象書類名】明細書
【補正対象項目名】００２４
【補正方法】変更
【補正の内容】
【００２４】
本発明に係る第１３の発明は、前記ファイルは、イメージおよび／またはテキストを含む文書ファイルであることを特徴とする。
【手続補正７】
【補正対象書類名】明細書
【補正対象項目名】００２５
【補正方法】変更
【補正の内容】
【００２５】
本発明に係る第１４の発明は、前記印刷属性は、Ｚ折り属性，製本属性，両面属性，インサータ紙属性，タブ紙属性，バリアブル属性，パンチ属性，ステイプル属性の少なくともいずれかを含むことを特徴とする。